(57)【要約】【課題】本発明は、耐久性に優れたＦＰＣ用コネクタを提供することを課題とする。また、本発明は、プリント基板等から外れ難くプリント基板等に対する保持力を向上させることが可能なＦＰＣ用コネクタを提供することを課題とする。【解決手段】本発明におけるＦＰＣ用コネクタ１は、ＦＰＣ挿入空間１１を有するハウジング１０と、ハウジング１０をプリント基板に取り付け、且つハウジング１０上面と係合する折り曲げ部４２ａ，折り曲げ部４２ｂを有する補強金具４０ａ，補強金具４０ｂとから構成されている。【選択図】　図１
2004146342.tif 000002
【特許請求の範囲】
【請求項１】
プリント基板（６０）上に表面実装され、前記基板（６０）の表面と平行な方向にフレキシブル基板（５０）の端部を受容し前記両基板間の電気的な接続を行うフレキシブル基板用コネクタ（１）において、
フレキシブル基板挿入口（３０ａ）及びフレキシブル基板挿入空間（１１）を有するハウジング（１０）と、
脚部（４１ａ，４１ｂ）が前記プリント基板（６０）に固着され、且つ前記ハウジング（１０）とその上方で係合する係合手段（４０ａ，４０ｂ）と、
を備え、
前記ハウジング（１０）には、前記プリント基板に垂直な方向に貫通穴が（１６ａ，１６ａ）が設けられており、前記係合手段（４０ａ，４０ｂ）が当該貫通穴（１６ａ，１６ａ）内に配置されるとともに、
前記係合手段（４０ａ，４０ａ）は、前記プリント基板表面に平行な平面部（４２ａ，４２ｂ）を有することを特徴とするフレキシブル基板用コネクタ。
【請求項２】
前記係合手段（４０ａ，４０ａ）は、前記ハウジング（１０）のうち少なくともフレキシブル基板挿入口（３０ａ）の側近部位と係合することを特徴とする請求項１に記載のフレキシブル基板用コネクタ。
【請求項３】
前記係合手段（４４０ａ，４４０ｂ）の脚部（４４１ａ，４４１ｂ）が、Ｕ字状折曲部（４４３ａ，４４３ｂ）により形成されていることを特徴とする請求項１又は２に記載のフレキシブル基板用コネクタ。
【請求項４】
前記係合手段（４０ａ，４０ｂ）は、その脚部（４１ａ，４１ｂ）と平面部（４２ａ，４２ｂ）との中間部位に位置し、前記貫通穴（１６ａ，１６ｂ）の内壁面に係止する係止爪部（４４ａ，４４ｂ）を具備することを特徴とする請求項１又は２に記載のフレキシブル基板用コネクタ。
【請求項５】
前記平面部（４２ａ，４２ｂ）は、ハウジング（１０）上方の平面部分（１７ａ，１７ｂ）と係合することを特徴とする請求項１〜４のいずれかに記載のフレキシブル基板用コネクタ。
【発明の詳細な説明】
【０００１】
【発明の属する技術分野】
本発明は、プリント基板上に表面実装され、同プリント基板とフレキシブル基板（以下、ＦＰＣと称す）との電気的接続に用いられるフレキシブル基板用コネクタ（以下、ＦＰＣ用コネクタと称す）の改良に関する。
【０００２】
【従来の技術】
図１０，図１１，図１２に、従来のＦＰＣ用コネクタ３０１の一例を示す。
【０００３】
図１０及び図１１に示すように、ＦＰＣ用コネクタ３０１は、ハウジング３１０に複数の端子３２０や一対の補強金具３４０ａ，３４０ｂが取り付けられている。
【０００４】
ハウジング３１０の正面及び背面には、それぞれ開口部３３０ａと複数の端子保持穴３３０ｂとが形成されている。これらの開口部３３０ａと複数の端子保持穴３３０ｂとは連絡している。さらに、ハウジング３１０の内部には、図示しないＦＰＣを収容するＦＰＣ挿入空間３１１を有する。
【０００５】
このＦＰＣ挿入空間３１１には、複数の端子保持穴３３０ｂから開口部３３０ａに向かって延びる前記複数の端子３２０が並設されており、前記各端子３２０は各々に対応して設けられた前記端子保持穴３３０ｂにハウジング３１０の後方から圧入される。尚、これらの端子３２０には、図示しないプリント基板の表面と平行な方向に前記ＦＰＣの端部が受容される。これにより、プリント基板とＦＰＣとの間の電気的な接続が行われる。
【０００６】
また、ハウジング３１０の両側には、ハウジング３１０をその高さ方向に貫く貫通穴３１６ａ，３１６ｂが形成されている。これらの貫通穴３１６ａ，３１６ｂに図示しないプリント基板に対してＦＰＣ用コネクタ３０１を取り付けるための前記補強金具３４０ａ，３４０ｂが圧入される。
【０００７】
補強金具３４０ａは、ハウジング強度を高める補強部材でもある。
【０００８】
図１２に示すように、補強金具３４０ａは、矩形状の板金の一縁が二股状に分岐されて形成され、本体部３５０と、二つの脚部３４１ａ，３４１ｂを有する形状に加工されている。尚、補強金具３４０ｂは補強金具３４０ａと同一の構成（勝手違い）であるため補強金具３４０ｂの説明を省略する。
【０００９】
補強金具３４０ａ（３４０ｂ）によりハウジング３１０をプリント基板に取り付けると、二つの脚部３４１ａ，３４１ｂの中間部位が、ハウジング３１０側に形成された当接部３７０に当接し補強金具３４０ａの位置決めがなされる。
【００１０】
補強金具３４０ａは貫通穴３１６ａに圧入され、その本体部３５０の外面に形成されたくさび状の係止爪部３４４ａ，３４４ｂが前記貫通穴３１６ａの内壁面に係止されている。
【００１１】
そして、補強金具３４０ａを有するＦＰＣ用コネクタ３０１を図示しないプリント基板の所定位置に取り付ける。この取り付けにあたっては、ＦＰＣ用コネクタ３０１の後方に露出した各端子３２０のテール部分がプリント基板の表面上に設けられた導体パターン（図示せず）に半田付けされるほか、プリント基板と補強金具３４０ａの各脚部３４１ａ，３４１ｂ及び補強金具３４０ｂの図示しない他の脚部を半田等によりボンディングして行う。
【００１２】
このときにＦＰＣ用コネクタ３０１に作用する外力の大部分は、図１０及び図１１に示す補強金具３４０ａ，３４０ｂで受ける。つまり、ＦＰＣ用コネクタ３０１のプリント基板に対する保持力は、補強金具３４０ａ，３４０ｂに委ねられている。
【００１３】
【発明が解決しようとする課題】
ところで、上述したＦＰＣ用コネクタ３０１にあっては、主としてＦＰＣのＦＰＣ用コネクタ３０１への接続作業の際に、ＦＰＣ用コネクタ３０１をプリント基板から離脱する様に働く図１０及び図１２におけるＢ方向への偶力（以下、こじり力と称す。）が、ハウジング３１０の少なくとも開口部３３０ａの上側に加わる。
【００１４】
こじり力は、図１１に示すような二つの補強金具３４０ａと補強金具３４０ｂとを結ぶ仮想軸Ｐを中心にその周囲に作用する。
【００１５】
すると、ハウジング３１０には、仮想軸Ｐを回動中心として図１０における時計回りのモーメントを生ずるのでＦＰＣ用コネクタ３０１がプリント基板から外れる虞があった。
【００１６】
こじり力に対しては、前記係止爪部３４４ａ，３４４ｂが貫通穴３１６ａの内壁面と係止する力のみで対抗している。このため、ＦＰＣ用コネクタ３０１のこじり力に対する充分な保持力を期待することができなかった。
【００１７】
さらに、ハウジング３１０は樹脂製によって成形されおり、補強金具３４０ａ，３４０ｂは金属で成形されている。そのため、補強金具３４０ａ，３４０ｂが耐え得るこじり力の大きさとハウジング３１０が耐え得るこじり力の大きさとは異なり、樹脂製のハウジング３１０の方が強度的に劣る。
【００１８】
このため、補強金具３４０ａ，３４０ｂがこじり力に耐えることができプリント基板上への固着を維持し得たとしても、通常、プラスチックからなるハウジング３１０が、そのこじり力に耐えられずに破損してしまうことが考えられる。
【００１９】
加えて、ＦＰＣ用コネクタ３０１全体を小型化（低背化）する等の限界設計を進めていくと、従来の補強金具３４０ａ，３４０ｂだけではプリント基板に対するＦＰＣ用コネクタ３０１の十分な保持力を確保できないという問題もあった。
【００２０】
そこで、本発明は、このような問題に着目してなされたものであり、耐久性に優れ、プリント基板への実装強度が向上されたＦＰＣ用コネクタを提供することを課題とする。
【００２１】
【課題を解決するための手段】
本発明は、前記課題を解決する為に以下の手段を採用した。
すなわち、プリント基板上に表面実装され、前記基板の表面と平行な方向にフレキシブル基板の端部を受容し前記両基板間の電気的な接続を行うフレキシブル基板用コネクタにおいて、フレキシブル基板挿入口及びフレキシブル基板挿入空間を有するハウジングと、脚部がプリント基板に固着され、且つ前記ハウジングとその上方で係合する係合手段とを備える。
さらに、前記ハウジングには、前記プリント基板に垂直な方向に貫通穴が設けられており、前記係合手段が当該貫通穴内に配置されるとともに、前記係合手段は、前記プリント基板表面に平行な平面部を有するＦＰＣ用コネクタである。
【００２２】
上記の本発明にあっては、脚部がプリント基板に固着され、且つその上方に設けられた、プリント基板表面に平行な平面部を以てハウジングと係合する係合手段を有するので、主としてＦＰＣ接続作業の際にハウジングに作用するこじり力に対抗できる。そのため、ハウジングを実装されているプリント基板から外れにくくすることができる。
【００２３】
また、本発明に係る係合手段は、当該ハウジングのうち少なくともフレキシブル基板挿入口の側近部位と係合する構成とすることも考えられる。このように構成することにより、一般にＦＰＣ挿入時に前方寄りに作用するこじり力に対し有効に抗することができる。
【００２４】
さらに、本発明に係る係合手段は、その脚部にＵ字状の折り曲げによる構成としてもよい。このように構成することにより、Ｕ字状折り曲げの筒面に沿って半田フィレットが形成されやすくなり、以て実装強度の向上が図れる。
【００２５】
係合手段としては、その脚部と平面部との中間部位に位置し、前記貫通穴の内壁面に係止する係止爪部を具備するようにしてもよい。この様に構成することにより、プリント基板への実装を行う以前の段階、即ちコネクタ製造から流通段階において、ハウジングから係合部材が脱落するのを防げる他、前記平面部によるハウジング係止との相乗効果により、更なる実装強度の向上を図ることができる。
前記平面部を、前記ハウジングの上方に形成した平面部分と係合させることにより、係合手段とハウジングとの接触面積が増大し、もって接触部分における集中応力の発生を抑え、かつ保持力をハウジング上面にまんべんなく発生させることができる。
【００２６】
【発明の実施の形態】
以下、図面に基づいて本発明の実施の形態に係るＦＰＣ用コネクタの説明を行う。
【００２７】
図１は本実施形態に係るＦＰＣ用コネクタ１の斜視図を示し、図２は本実施形態に係るＦＰＣ用コネクタ１の上面図を示す。
【００２８】
まず、これらの図からわかるように、本実施形態に係るＦＰＣ用コネクタ１は、ハウジング１０と、ハウジング１０に装着されている複数の端子２０と、ハウジング１０をプリント基板６０に取り付ける補強金具４０ａ，４０ｂとを備えている。
【００２９】
ハウジング１０は図３からわかるように、内部にＦＰＣ挿入空間１１を有する。
【００３０】
さらに、ハウジング１０の正面及び背面には、それぞれＦＰＣ挿入口である開口部３０ａと複数の端子保持穴３０ｂが設けられており、これらの開口部３０ａと複数の端子保持穴３０ｂとが前記ＦＰＣ挿入空間１１を介して連絡している。
【００３１】
また、図１や図３からわかるように、複数の端子２０は二股状になっており、それぞれの端子に対応する端子保持穴３０ｂにハウジング１０の後方から圧入され、その接点２０ａ，２０ａは開口部３０ａの近傍にまで及んでいる。またハウジング１０の後部からは、プリント基板上の導体パターンに半田付けされるテール部２０ｂが露出する。
【００３２】
図３に二点鎖線で示すように、開口部３０ａから挿入されたＦＰＣ５０は、端子２０の上下の接点２０ａ，２０ａ間に挟持され、ＦＰＣ５０上の接点パターン（図示せず）と各端子との電気的接続が図られる。
その結果、ＦＰＣ５０上の導体パターンとプリント基板６０上の導体パターンとが、端子２０の接点２０ａ及びテール部２０ｂを介して接続されることになる。
【００３３】
さらに、ハウジング１０は、図１〜図４からわかるように天板１２と、天板１２に対向する底板１３と、両側壁部１４ａ，１４ｂとを有している。これらの要素により画成される空間が既述したＦＰＣ挿入空間１１である。
【００３４】
また、図３に示すように、本実施形態のハウジング１０の開口部３０ａ側には、開口部３０ａから端子保持穴３０ｂに延在するレール状のガイド部１５が天板１２と底板１３とに設けられている。即ち、このガイド部１５は、天板１２と底板１３とに櫛歯状の凹凸（相互に並列配置される凸部１５ｂおよび凹部１５ｃ）を設けることで形成される。
【００３５】
即ち、上下の各接点２０ａ，２０ａは、凹部１５ｃ内に配置され、両接点２０ａ，２０ａの両側面は凸部１５ｂによりガイドされる。凹部１５ｃは、一定の厚みを有するＦＰＣ５０が挿入されることにより生じる各接点２０ａ，２０ａの変位を吸収し得る深さとする必要がある。
【００３６】
さらに、図５に示すように、ハウジング１０の側壁部１４ａ，１４ｂには、高さ方向、即ち天板１２から底板１３に抜ける、貫通穴１６ａ，１６ｂが設けられている。貫通穴１６ａ，１６ｂは、図１，５，６に示すように、ＦＰＣ用コネクタ１をプリント基板６０に取り付けた状態でプリント基板６０に対して垂直な方向に設けられている。
【００３７】
また、ハウジング１０の天板１２には、貫通穴１６ａ，１６ｂの各開口１８ａ，１８ｂに連絡する凹部１７ａ，１７ｂが形成されている。加えて、ハウジング１０の底板１３には、開口１８ａ，１８ｂにそれぞれ連絡する開口１８ｃ，１８ｄが設けられている。
【００３８】
凹部１７ａ，１７ｂは、天板１２の中心側に臨む。よって、貫通穴１６ａ及び凹部１７ａと、貫通穴１６ｂ及び凹部１７ｂとを垂直縦断面で見ると、図５のようにＬ字型を倒立したごとき形状に見える。
【００３９】
ハウジングの上方に形成された凹部１７ａ，１７ｂはその底面が平面形状をしている。よってこの明細書では、凹部１７ａ，１７ｂをハウジングの上方に形成された平面部分ということにする。但し、ハウジング１０の天板１２も平面であるので、天板１２を平面部分と捉えることもできる。
【００４０】
そして、貫通穴１６ａ，１６ｂには、各々Ｌ字型の補強金具４０ａ，４０ｂを挿通する。これにより、補強金具４０ａ，４０ｂが貫通穴１６ａ，１６ｂ内に配置される。
【００４１】
補強金具４０ａ，４０ｂは、それぞれ貫通穴１６ａ，１６ｂに圧入される脚部４１ａ，４１ｂと、凹部１７ａ，１７ｂにそれぞれ収容される折り曲げ部４２ａ，４２ｂとを有する。折り曲げ部４２ａ，４２ｂはプリント基板６０の表面と平行な平面部である。よって折り曲げ部４２ａ，４２ｂをプリント基板表面に平行な平面部ということができる。
【００４２】
脚部４１ａ，４１ｂは、プリント基板６０の表面にＦＰＣ用コネクタ１を取り付けるときに、プリント基板６０と半田等により接合（固着）される部位である。
【００４３】
また、折り曲げ部４２ａ，４２ｂは、上記で述べた様にハウジング１０の凹部１７ａ，１７ｂ内に収容されることにより、ハウジング１０のプリント基板６０からの離脱を強固に阻止すべくハウジング１０と係合する。よって、折り曲げ部４２ａ，（４２ｂ）を有する補強金具４０ａ（４０ｂ）を係合手段ということができる。
【００４４】
モーメントを生ずるこじり力はハウジング１０の開口部３０ａ寄りに作用するので、折り曲げ部４２ａ，４２ｂは、少なくとも図３に示すＦＰＣ５０が挿入される開口部３０ａ側を覆う部位、換言すれば、ハウジング１０のうち少なくとも開口部３０ａの側近部位と係合するように設けられることが望ましい。側近部位とは、開口部３０ａから奥行き方向中央部分の範囲の部位をいうものとする。
【００４５】
脚部４１ａ，４１ｂの各端部４３ａ，４３ｂは、それぞれ貫通穴１６ａ，１６ｂの各開口１８ｃ，１８ｄから突出する長さとされる。そして、その突出した端部４３ａ，４３ｂとプリント基板６０との接合箇所に半田付けが行われて半田フィレット８０が形成され、ハウジング１０（ＦＰＣ用コネクタ１）がプリント基板上に固着される。
【００４６】
また、図６に示すように、補強金具４０ａは、その向かい合う二側辺に貫通穴１６ａの内壁に突出する第一係止爪部４４ａ，第二係止爪部４４ｂを具備する。
これらの係止爪部４４ａ，４４ｂは、脚部４１ａと平面部４２ａとの中間部位に位置し、前記貫通穴１６ａの内壁面に係止する。補強金具４０ｂにも同様の係止爪部が形成されている。
【００４７】
これらの第一係止爪部４４ａ，第二係止爪部４４ｂは、補強金具４０ａを貫通穴１６ａへ組み立て圧入したとき、貫通穴１６ａの内壁の一部と係合する。
【００４８】
本実施形態におけるＦＰＣ用コネクタ１にあっては、折り曲げ部４２ａ，折り曲げ部４２ｂがハウジング１０に生じるモーメントに抗し、ハウジング１０をプリント基板６０に強固に繋ぎ止める構成であるので、ＦＰＣ５０を抜き差しする時や、同じくＦＰＣ５０を引き回す時に作用するこじり力（図５中Ａ方向に働く力）に十分耐えうる実装強度を実現することができる。
【００４９】
本実施形態の補強金具４０ａ，４０ｂによれば、こじり力に対応できるのでＦＰＣ用コネクタ１のプリント基板６０への保持力を向上させることができる。それに伴い、ＦＰＣ用コネクタ１の強度を高め以て信頼性の高い電子回路装置を提供することが可能となる。
【００５０】
加えて、図６に示すように、本実施形態に係る第一係止爪部４４ａ，第二係止爪部４４ｂは、貫通穴１６ａの内壁と係合する構成を有している。この構成と、前述した折り曲げ部４２ａ，４２ｂの構成とを組み合わせることにより、ＦＰＣ５０を接続したり、ＦＰＣ５０を引き回す際に作用する「こじり力」（図６中Ａ方向に働く力）に充分に対抗することができる。
【００５１】
またハウジングの上方に形成された凹部１７ａ，１７ｂの底面は平面形状をしている。よって当該凹部１７ａ，１７ｂに補強金具４０ａ，４０ｂの平面部である折り曲げ部４２ａ，４２ｂが収容されると、平面同士の接触面積が増大する。
この結果、接触部分における集中応力の発生を抑え、かつ保持力をハウジング上面に満遍なく発生させることができる。
【００５２】
＜変形例１＞
【００５３】
また、本実施形態における補強金具４０ａ，４０ｂの代わりに、図７に示すような、補強金具１４０としてもよい。変形例１に係るＦＰＣ用コネクタを符号１０１で示す。
【００５４】
補強金具１４０は、図５に示す補強金具４０ａの折り曲げ部４２ａに相当する部分がない代わりに、補強金具４０ａの脚部４１ａ（補強金具４０ｂの脚部４１ｂ）の上端部に、側方に張り出す第一腕部１４２ａ，第二腕部１４２ｂが設けられている。補強金具１４０は、これら第一腕部１４２ａと第二腕部１４２ｂとにより全体が略Ｔ字型に形成されている。
【００５５】
また、補強金具がこのような形態であるので、変形例１にあっては、ハウジングについても若干異なる。すなわち、変形例１に係るハウジング１１０にはハウジング１０の貫通穴１６ａに相当する貫通穴１１６ａを有するが、この貫通穴１１６ａは、その内壁面に、第一腕部１４２ａ及び第二腕部１４２ｂをそれぞれ受ける係合凹部１４５ａ及び係合凹部１４５ｂが形成されている。
【００５６】
従って、ハウジング１１０にこじり力（図７中Ｃ方向に働く力）が付加されても、補強金具１４０を有するＦＰＣ用コネクタ１０１にあっては、第一腕部１４２ａ，第二腕部１４２ｂが係合凹部１４５ａ，１４５ｂに係合しハウジング上方を保持するようになるのでＦＰＣ用コネクタ１０１は、プリント基板６０に対する充分な保持力を得ることができる。
【００５７】
さらに、図７に示すように、補強金具１４０は、補強金具４０ａ（４０ｂ）に形成されている第一係止爪部４４ａ及び第二係止爪部４４ｂにそれぞれ相当する第一係止爪部１４４ａ，第二係止爪部１４４ｂを有する。これらの係止爪部１４４ａ，１４４ｂも貫通穴１１６ａ内壁と係合する。
【００５８】
＜変形例２＞
【００５９】
また、本実施形態に係る補強金具４０ａ，４０ｂ（図５参照）のその他の変形例として、図８には、前述した実施形態における折り曲げ部４２ａを有する補強金具４０ａと変形例１の補強金具１４０の第一腕部１４２ａ，第二腕部１４２ｂ（係合手段）とを組み合わせた補強金具２４０を例示する。
【００６０】
このように、本変形例における補強金具２４０を用いたＦＰＣ用コネクタは、図５に示す本実施形態における補強金具４０ａの構成と、図７に示す変形例１における補強金具１４０の構成とを併せ持つことにより、ＦＰＣ用コネクタ自体の耐久性と、プリント基板６０に取り付けられたときの保持力を一層得ることができる。このため耐落下衝撃性や剥離強度を十分に高めることができる。
【００６１】
＜変形例３＞
最後に、本実施形態に係る補強金具４０ａ，４０ｂは、変形例として次のように構成しても良い。即ち図９の変形例３に示すＦＰＣ用コネクタ４０１の補強金具４４０ａ，４４０ｂのように、それら金具の各々の脚部４４１ａ，４４１ｂにＵ字状折曲部４４３ａ，４４３ｂを設ける。これにより、補強金具４４０ａ，４４０ｂが実装対象であるプリント基板６０と接する部分に各々一筋の稜線を有する曲面が形成される。この曲面は、半田が付着しやすい形状であるので半田フィレット８０が確実に形成されるとともに半田フィレット８０との接触面積が増え、以て実装強度が高まる。なお図９中、符号４１０および４１１は、それぞれ既述したハウジング４１０およびＦＰＣ挿入空間１１に相当する。
【００６２】
〈その他〉
なおフレキシブル基板用コネクタ１は、以下のようにも特定できる。
（付記）
プリント基板６０に実装されるとともに前記基板６０と平行にフレキシブル基板５０の端部が挿入されることにより、前記プリント基板６０およびフレキシブル基板５０の電気的な接続を行うフレキシブル基板用コネクタ１において、
【００６３】
フレキシブル基板挿入口３０ａを有するハウジング１０と、
【００６４】
脚部４１ａ（４１ｂ）によって前記プリント基板６０に固着されかつ前記ハウジング１０とその上方で係合する係合手段４０ａ（４０ｂ）とを備え、
【００６５】
前記ハウジング１０には、その高さ方向に延びるとともに前記係合手段４０ａ（４０ｂ）が配置される貫通穴１６ａ（１６ｂ）が設けられ、
【００６６】
前記係合手段４０ａ（４０ｂ）は、当該係合手段が前記貫通穴１６ａ（１６ｂ）に配置された状態で前記プリント基板６０の表面と平行な平面部４２ａ（４２ｂ）を有し、当該平面部４２ａ（４２ｂ）がハウジング上方の平面部分１７ａ（１７ｂ）に係合することを特徴とする。
【００６７】
尚、本発明のフレキシブル基板用コネクタは、上述の図示例にのみ限定されるものではなく、本発明の要旨を逸脱しない範囲内において種々変更を加え得ることは勿論である。
【００６８】
【発明の効果】
本発明によれば、耐久性に優れたＦＰＣ用コネクタを提供することが可能となる。
【００６９】
また、本発明によれば、ＦＰＣ用コネクタのプリント基板等への保持力を向上させることができ耐落下衝撃性や剥離強度を十分に高めることができる。
【００７０】
【図面の簡単な説明】
【図１】本実施形態に係るＦＰＣ用コネクタの斜視図である。
【図２】本実施形態に係るＦＰＣ用コネクタの平面図である。
【図３】図２のＸ−Ｘ線断面図である。
【図４】本実施形態に係るＦＰＣ用コネクタの正面図である。
【図５】図２のＺ−Ｚ線断面図である。
【図６】図２のＷ−Ｗ線断面図である。
【図７】変形例１に係るＦＰＣ用コネクタの側断面図であって図６に相当する図である。
【図８】変形例２に係る補強金具の斜視図である。
【図９】変形例３に係るＦＰＣ用コネクタの一部切欠き正面図であって、図４に相当する図である。
【図１０】従来のＦＰＣ用コネクタの斜視図である。
【図１１】従来のＦＰＣ用コネクタの平面図である。
【図１２】図１１のＹ−Ｙ線断面図である。
【符号の説明】
１　フレキシブル基板用コネクタ
１０　ハウジング
１１　ＦＰＣ挿入空間
１２　天板
１３　底板
１４ａ　側壁部
１４ｂ　側壁部
１５　ガイド部
１５ｂ　凸部
１５ｃ　凹部
１６ａ　貫通穴
１６ｂ　貫通穴
１７ａ　凹部
１７ｂ　凹部
１８ａ　開口
１８ｂ　開口
１８ｃ　開口
１８ｄ　開口
２０　端子
２０ａ　接点
２０ｂ　テール部
３０ａ　開口部
３０ｂ　端子保持穴
４０ａ　補強金具
４０ｂ　補強金具
４１ａ　脚部
４１ｂ　脚部
４２ａ　折り曲げ部
４２ｂ　折り曲げ部
４３ａ　端部
４３ｂ　端部
４４ａ　第一係止爪部
４４ｂ　第二係止爪部
５０　フレキシブル基板
６０　プリント基板
８０　半田フィレット
１０１　フレキシブル基板用コネクタ
１１０　　ハウジング
１１６ａ　貫通穴
１４０　補強金具
１４２ａ　第一腕部
１４２ｂ　第二腕部
１４４ａ　第一係止爪部
１４４ｂ　第二係止爪部
１４５ａ　係合凹部
１４５ｂ　係合凹部
２４０　補強金具
３０１　フレキシブル基板用コネクタ
３１０　ハウジング
３１１　ＦＰＣ挿入空間
３１６ａ　貫通穴
３１６ｂ　貫通穴
３２０　　端子
３３０ａ　開口部
３３０ｂ　端子保持穴
３４０ａ　補強金具
３４０ｂ　補強金具
３４１ａ　脚部
３４１ｂ　脚部
３４４ａ　係止爪部
３４４ｂ　係止爪部
３５０　本体部
３７０　当接部
４０１　　フレキシブル基板用コネクタ
４１０　　ハウジング
４１１　ＦＰＣ挿入空間
４４０ａ　　補強金具
４４０ｂ　　補強金具
４４１ａ　　脚部
４４１ｂ　脚部
４４３ａ　　Ｕ字状折曲部
４４３ｂ　　Ｕ字状折曲部
Ｐ　　仮想軸
【図１】
2004146342.tif 000003
【図２】
2004146342.tif 000004
【図３】
2004146342.tif 000005
【図４】
2004146342.tif 000006
【図５】
2004146342.tif 000007
【図６】
2004146342.tif 000008
【図７】
2004146342.tif 000009
【図８】
2004146342.tif 000010
【図９】
2004146342.tif 000011
【図１０】
2004146342.tif 000012
【図１１】
2004146342.tif 000013
【図１２】
2004146342.tif 000014